(57)【要約】【課題】乾燥装置を小型化することができ、かつ乾燥後のフィルムの巻き締まりを抑制できる、フィルムの乾燥方法を提供する。【解決手段】フィルムを乾燥する本発明の方法は、送り出しローラー１０に巻き取られている未乾燥の帯状フィルム２ａを送り出すこと、送り出された帯状フィルム２ａを、加熱ローラー２０で加熱し、そして乾燥装置３０へと供給すること、供給された未乾燥の帯状フィルムを、乾燥装置３０内で乾燥させること、乾燥させた帯状フィルムを、冷却ローラー４０で冷却し、そして巻き取りローラー５０で巻き取ることを含む。【選択図】図１
2019158219.tif 000002
【特許請求の範囲】
【請求項１】
送り出しローラーに巻き取られている未乾燥の帯状フィルムを送り出すこと、
送り出した前記帯状フィルムを、加熱ローラーで加熱し、そして乾燥装置へと供給すること、
供給した未乾燥の前記帯状フィルムを、前記乾燥装置で乾燥させること、
乾燥させた前記帯状フィルムを、冷却ローラーで冷却し、そして巻き取りローラーで巻き取ること
を含む、フィルムの乾燥方法。
【発明の詳細な説明】
【技術分野】
【０００１】
本発明は、フィルムの乾燥方法に関する。
【背景技術】
【０００２】
塗布された接着剤の溶剤成分を除去する等の目的のため、単層のフィルム又は積層フィルムを乾燥する種々の装置が提案されている。
【０００３】
特許文献１では、少なくとも第１のフィルムと第２のフィルムとを接着剤を介して貼着して積層フィルムを製造するラミネート装置において、第１のフィルムと第２のフィルムとを供給する手段と、第１のフィルム、及び／又は第２のフィルムに接着剤を塗布する手段と、第１のフィルムと第２のフィルムとを貼り合せる手段と、積層フィルムを巻き取る手段と、巻き取り手段の近傍に巻き取られた積層フィルムを加温する加熱手段とを含み、かつ、積層フィルムの巻き取りの中心からみて、積層フィルムの巻き付け開始位置と、加熱手段の近接位置とのなす角度が、９０°以上離れた位置に配置されることを特徴とする、ラミネート装置が開示されている。
【０００４】
特許文献２では、基材に接着剤を転写する接着剤転写ロールと、転写された接着剤を乾燥させる乾燥部と、基材とラミネート材とを接着するピンチロールとを備えたドライラミネート装置において、密閉空間を有する接着剤塗布部材を接着剤転写ロールに沿って設置するとともに、接着剤塗布部材の密閉空間部内に接着剤を供給する供給ポンプと、接着剤転写ロールを基材の搬送方向と逆方向に回転駆動する回転駆動部とを設けたことを特徴とする、ドライラミネート装置が開示されている。
【０００５】
特許文献３では、少なくとも第１のフィルムと第２のフィルムとを接着剤を介して貼着して積層フィルムを製造するラミネート装置において、第１のフィルムと第２のフィルムとを供給する手段と、第１のフィルム、及び／又は第２のフィルムに接着剤を塗布する手段と、第１のフィルムと第２のフィルムとを貼り合せる手段と、積層フィルムを巻き取る手段と、巻き取り手段により巻き取られた後の積層フィルムを加温する加熱手段とを含むことを特徴とする、ラミネート装置が開示されている。
【先行技術文献】
【特許文献】
【０００６】
【特許文献１】特開２００６−１６８３３０号公報
【特許文献２】特開平８−２７６５５４号公報
【特許文献３】特開２０１１−２０１３１６号公報
【発明の概要】
【発明が解決しようとする課題】
【０００７】
乾燥装置を小型化することができ、かつ乾燥後のフィルムの巻き締まりを抑制できる、フィルムの乾燥方法を提供する必要性が存在する。
【課題を解決するための手段】
【０００８】
本発明者らは、鋭意検討したところ、以下の手段により上記課題を解決できることを見出して、本発明を完成させた。すなわち、本発明は、下記のとおりである：
〈態様１〉送り出しローラーに巻き取られている未乾燥の帯状フィルムを送り出すこと、
送り出した前記帯状フィルムを、加熱ローラーで加熱し、そして乾燥装置へと供給すること、
供給した未乾燥の前記帯状フィルムを、前記乾燥装置で乾燥させること、
乾燥させた前記帯状フィルムを、冷却ローラーで冷却し、そして巻き取りローラーで巻き取ること
を含む、フィルムの乾燥方法。
【発明の効果】
【０００９】
本発明によれば、乾燥装置を小型化することができ、かつ乾燥後のフィルムの巻き締まりを抑制できる、フィルムの乾燥方法を提供することができる。
【図面の簡単な説明】
【００１０】
【図１】図１は、フィルムを乾燥させる本発明の方法に用いる乾燥システムの概念図である。
【図２】図２は、フィルムを乾燥させる従来の方法に用いる乾燥システムの概念図である。
【発明を実施するための形態】
【００１１】
《フィルムの製造方法》
図１に示すように、フィルムを乾燥する本発明の方法は、
送り出しローラー１０に巻き取られている未乾燥の帯状フィルム２ａを送り出すこと、
送り出した帯状フィルム２ａを、加熱ローラー２０で加熱し、そして乾燥装置３０へと供給すること、
供給した未乾燥の帯状フィルムを、乾燥装置３０で乾燥させること、
乾燥させた帯状フィルムを、冷却ローラー４０で冷却し、そして巻き取りローラー５０で巻き取ること
を含む。
【００１２】
本発明の方法のために用いる乾燥システム１００においては、上記の各構成の間に随意の中継ロール６０が存在していてもよい。
【００１３】
図２に示す従来の乾燥システム２００においては、未乾燥の帯状フィルム２ａが周囲温度の環境から直接的に乾燥装置３０に供給されることとなる。周囲温度の帯状フィルムを乾燥させる場合、未乾燥の帯状フィルム２ａを周囲温度から乾燥温度まで昇温させ、そしてその乾燥温度で乾燥を行う必要がある。したがって、乾燥装置３０では、乾燥温度で乾燥を行うための領域に加えて、周囲温度から乾燥温度までの昇温のための領域を確保しなければならず、その結果、乾燥装置が大型となり、設備費が上昇する虞があった。
【００１４】
また、乾燥システム２００においては、乾燥させた帯状フィルム２ｂが、高温状態のままで巻き取られることとなり、その結果、巻き取られた帯状フィルムが周囲温度の環境にさらされて熱収縮するため、帯状フィルムの巻き締まりが生じることがあった。
【００１５】
これに対し、図１に示す本発明の方法においては、乾燥装置３０の前の位置に加熱ローラー１０を設けることにより、未乾燥の帯状フィルム２ａを予熱することができる。その結果、乾燥装置３０内で、帯状フィルム２ａの乾燥の前に帯状フィルム２ａを昇温させる必要がなくなるため、乾燥装置３０の領域全体を乾燥のために有効に活用できることとなる。
【００１６】
更に、乾燥装置３０を経た後の位置に冷却ローラー４０を設けることにより、周囲温度に近い温度まで、乾燥後の帯状フィルム２ｂを冷却することができる。その結果、巻き取り後の帯状フィルムの巻き締まりが抑制されることとなる。
【００１７】
乾燥システム１００の全体、又は乾燥装置３０は、真空下にあってよい。これにより、良好に水分等が蒸発でき、その結果、更に乾燥を促進させることができる。
【００１８】
以下では、本発明の方法に用いる帯状フィルム、加熱ローラー、乾燥装置、及び冷却ローラーについて、適宜図面を参照しながら説明する。
【００１９】
〈帯状フィルム〉
帯状フィルムは、単層のフィルムであってもよく、又は電池用ラミネートフィルム等の積層フィルムであってもよい。
【００２０】
ここで、電池用ラミネートフィルムは、金属層及びシーラント材層を有するフィルムであってよい。電池用ラミネートフィルムに用いられる金属層としては、例えばアルミニウム又はステンレス（ＳＵＳ）鋼等を用いることができる。
【００２１】
シーラント材層としては、例えばポリプロピレン、ポリエチレン、ポリスチレン、又はポリ塩化ビニル等のポリオレフィンを用いることができる。
【００２２】
また、電池用ラミネートフィルムは、ナイロン等のポリアミド、ポリエチレンテレフタレート等のポリエステル、上記のポリオレフィン等の熱可塑性樹脂で構成されている随意の基材層を更に有していてもよい。
【００２３】
上記の各層の間には、随意の接着層が存在していてもよい。接着層としては、例えばドライラミネート接着剤、ホットメルト接着剤等が挙げられる。
【００２４】
〈加熱ローラー〉
図１に示すように、加熱ローラー２０は、加熱機構２２を有していてよい。加熱機構は、例えば熱媒を循環させる機構であってよい。
【００２５】
加熱機構が熱媒を循環させる機構である場合、循環の方向は、随意の方向であってよいが、熱媒の流れを帯状フィルムの送り方向に対して向流として、加熱効率を良好にすることができる。具体的には、図１の点線矢印で示すように、帯状フィルムの送り方向に対向するようにして熱媒を循環させることが好ましい。
【００２６】
加熱ローラーは、帯状フィルムの片側又は両側に接していてよい。特に帯状フィルムが積層フィルムである場合、より特に帯状フィルムが異なる物性の２以上のフィルムの積層フィルムである場合には、加熱ローラーは、帯状フィルムの両側に接していることが、帯状フィルムを両側から加熱して、乾燥に最適な温度まで高めることを容易とする観点から好ましい。
【００２７】
〈乾燥装置〉
乾燥装置は、乾燥機構を有していてよい。乾燥機構としては、例えば熱を印加するランプ等を用いることができる。
【００２８】
乾燥機構は、帯状フィルムの片側から又は両側から乾燥できるように配置されていてよい。特に、帯状フィルムが積層フィルムである場合、より特に帯状フィルムが異なる物性の２以上のフィルムの積層フィルムである場合には、乾燥機構は、帯状フィルムの両側に接していることが、帯状フィルムを両側から加熱して、乾燥を良好に進行させる観点から好ましい。
【００２９】
〈冷却ローラー〉
図１に示すように、冷却ローラー４０は、冷却機構４２を有していてよい。冷却機構は、例えば冷媒を循環させる機構であってよい。
【００３０】
冷却機構が、冷媒を循環させる機構である場合、循環の方向は、随意の方向であってよいが、冷媒の流れを帯状フィルムの送り方向に対して向流として、冷却効率を良好にすることができる。具体的には、図１の点線矢印で示すように、帯状フィルムの送り方向に対向するようにして冷媒を循環させることが好ましい。
【００３１】
冷却ローラーは、帯状フィルムの片側又は両側に接していてよい。特に、帯状フィルムが積層フィルムである場合、より特に帯状フィルムが異なる物性の２以上のフィルムの積層フィルムである場合には、冷却ローラーは、帯状フィルムの両側に接していることが、帯状フィルムを両側から冷却して、巻き取り後のフィルムの収縮をより良好に抑制する観点から好ましい。
【符号の説明】
【００３２】
２ａ    未乾燥の帯状フィルム
２ｂ    乾燥させた帯状フィルム
１０    送り出しローラー
２０    加熱ローラー
２２    加熱機構
３０    乾燥装置
３２    乾燥機構
４０    冷却ローラー
４２    冷却機構
５０    巻き取りローラー
６０    中継ローラー
１００    本発明の方法における乾燥システム
２００    従来の方法における乾燥システム
【図１】
2019158219.tif 000003
【図２】
2019158219.tif 000004